(57)【特許請求の範囲】
【請求項１】
処理ラインとして、前段に第１冷却器を配置した第１デシカントロータの処理ゾーンと、前段に第２冷却器を配置した最終の第２デシカントロータの処理ゾーンとを直列に連通し、前記第１冷却器に外気を供給して、前記第２デシカントロータからの室内側に空調空気を供給するとともに、
再生ラインとして、前段に第１再生器として温水による再生器と蒸気による高温再生器とを直列に配置した前記第２デシカントロータと、前段に温水による第２再生器を配置した前記第１デシカントロータとを直列に連通し、前記第１再生器に室内側の還気、又は外気の処理ゾーンの処理空気の一部を供給し、その下流の前記第１デシカントロータから排気する多段デシカントロータを配置したデシカント空気調和装置であって、
前記第１デシカントロータは、２０℃での相対湿度が５０％〜８０％では水の吸着量が０.４ｇ水／ｇ吸着剤〜０.８ｇ水／ｇ吸着剤であるポリアクリル酸ナトリューム架橋体の高分子吸収剤を吸着剤として用い、
前記第２デシカントロータは、２０℃での相対湿度が７％以上では水の吸着量が０.２ｇ水／ｇ吸着剤程度で変化しないゼオライトの無機材料を吸着剤として用いたことを特徴とする多段デシカントロータを用いた空気調和装置。
【請求項２】
前記第１デシカントロータと前記第２デシカントロータとの中間に第３デシカントロータを配置し、蒸気による高温再生器を排除し、該第３デシカントロータは、２０℃での相対湿度が５０％〜８０％では水の吸着量が０.４ｇ水／ｇ吸着剤〜０.８ｇ水／ｇ吸着剤であるポリアクリル酸ナトリューム架橋体の高分子吸収剤を吸着剤として用い、該第３デシカントロータの再生ラインの前段に温水による第３再生器を配置したことを特徴とする請求項１に記載の多段デシカントロータを用いた空気調和装置。
【請求項３】
前記請求項１に記載の多段デシカントロータを用いるデシカント空気調和装置において、処理ゾーンの第２冷却器からの処理空気の一部を第１再生器に供給して、その下流の前記第１デシカントロータから排気する多段デシカントロータを配置したデシカント空気調和装置であって、温水による前記第２再生器の上流に外気を供給して混合することを特徴とする請求項１に記載の多段デシカントロータを用いた空気調和装置。
【請求項４】
前記請求項３に記載の多段デシカントロータを用いるデシカント空気調和装置において、第２冷却器の上流に還気を供給して混合することを特徴とする請求項６に記載の多段デシカントロータを用いた空気調和装置。
【請求項５】
前記第１デシカントロータと前記第２デシカントロータとの中間に第３デシカントロータを配置し、該第３デシカントロータは、２０℃での相対湿度が５０％〜８０％では水の吸着量が０.４ｇ水／ｇ吸着剤〜０.８ｇ水／ｇ吸着剤であるポリアクリル酸ナトリューム架橋体の高分子吸収剤を吸着剤として用い、該第３デシカントロータの再生ラインの前段に温水による第３再生器を配置し、処理ゾーンの第２デシカントロータの処理空気の一部を第１再生器に供給し、前記第１デシカントロータから排気する多段デシカントロータを配置したデシカント空気調和装置であって、前記第３再生器の上流に外気を供給して混合することを特徴とする請求項１に記載の多段デシカントロータを用いた空気調和装置。
【請求項６】
前記請求項５に記載の多段デシカントロータを用いるデシカント空気調和装置において、第２冷却器の上流に還気を供給して混合することを特徴とする請求項５に記載の多段デシカントロータを用いた空気調和装置。
【発明の詳細な説明】
【技術分野】
【０００１】
本発明は、異なる除湿材を用いたデシカント空気調和装置に係り、特に、再生ラインになるべく高温蒸気を使用しないようにした複数段のデシカントロータを用いたデシカント空気調和装置に関する。
【背景技術】
【０００２】
従来、リチウム電池製造工場等のドライルームは露点温度マイナス40℃DP以下の超低露点が要求され空調施設としては、複数段のデシカントロータを用いたデシカント空気調和装置が、例えば、特開2008−57953（特許文献１）として知られている。
このデシカント空気調和装置は、乾燥剤によって空気を除湿し、除湿を高めるために複数段のデシカントロータを用い、その後熱交換器で冷却して空調空気を得るものであるが、これらデシカントロータは、フロン等を使用せず地球環境にとって好ましい空調方式である。しかし、超低露点が要求される空調施設のデシカントロータの再生には、高温再生型のデシカントロータを用い、超低露点にするために１００度以上に加熱する必要から、蒸気や電気ヒータを用いる必要があり、特に蒸気を作るために化石燃料の燃焼によりＣＯ2、ＳＯｘを発生し、これらを排出するという問題点があり、また、高温再生型のデシカントロータは吸着能力を確保するためには空気流路のパージサイクルが必要であり、そのためデシカントロータの構造が複雑になり、高価になるといった問題点もあった。
【０００３】
一方、デシカント空気調和装置の超低露点域のデシカント除湿機として、低温再生型のデシカント除湿機が知られており、これらを多段式にして使用するのが一般的であるが、近時、高湿度領域において吸放出の特性に優れた材料、有機高分子材料を用いたデシカントロータが開発され、これを用いたデシカント空気調和装置、例えば、特開2004−177074（特許文献２）が提案されているが、超低露点が要求されデシカント空気調和装置には不向きであるという問題点があった。
【先行技術文献】
【特許文献】
【０００４】
【特許文献１】特開２００８−５７９５３号公報
【特許文献２】特開２００４−１７７０７４号公報
【発明の開示】
【発明が解決しようとする課題】
【０００５】
本発明は、上述した問題点に鑑みてなされたもので、複数段のデシカントロータを用いたデシカント空気調和装置において、蒸気の使用度合いを極力少なくし、かつ、除湿能力及び、より小型化が可能で、超低露点にすることも可能なデシカント空気調和装置を提供しようとするものである。
【課題を解決するための手段】
【０００６】
上記課題を解決するために、請求項１の発明は、多段デシカントロータを用いた空気調和装置であって、処理ラインとして、前段に第１冷却器を配置した第１デシカントロータの処理ゾーンと、前段に第２冷却器を配置した最終の第２デシカントロータの処理ゾーンとを直列に連通し、前記第１冷却器に外気を供給して、前記第２デシカントロータからの室内側に空調空気を供給するとともに、
再生ラインとして、前段に第１再生器として温水による再生器と蒸気による高温再生器とを直列に配置した前記第２デシカントロータと、前段に温水による第２再生器を配置した前記第１デシカントロータとを直列に連通し、前記第１再生器に室内側の還気、又は外気の処理ゾーンの処理空気の一部を供給し、その下流の前記第１デシカントロータから排気する多段デシカントロータを配置したデシカント空気調和装置であって、
前記第１デシカントロータは、２０℃での相対湿度が５０％〜８０％では水の吸着量が０.４ｇ水／ｇ吸着剤〜０.８ｇ水／ｇ吸着剤であるポリアクリル酸ナトリューム架橋体の高分子吸収剤を吸着剤として用い、
前記第２デシカントロータは、２０℃での相対湿度が７％以上では水の吸着量が０.２ｇ水／ｇ吸着剤程度で変化しないゼオライトの無機材料の吸着剤を用いたことを特徴とする。
【０００８】
請求項２の発明は、主に実施例２に対応し、請求項１に記載の多段デシカントロータを用いた空気調和装置であって、前記第１デシカントロータと前記第２デシカントロータとの中間に第３デシカントロータを配置し、蒸気による高温再生器を排除し、該第３デシカントロータは、２０℃での相対湿度が５０％〜８０％では水の吸着量が０.４ｇ水／ｇ吸着剤〜０.８ｇ水／ｇ吸着剤であるポリアクリル酸ナトリューム架橋体の高分子吸収剤を吸着剤として用い、該第３デシカントロータの再生ラインの前段に温水による第３再生器を配置したことを特徴とする。
【０００９】
請求項３の発明は、主に実施例３に対応し、請求項１に記載の多段デシカントロータを用いた空気調和装置であって、前記請求項１に記載の多段デシカントロータを用いるデシカント空気調和装置において、処理ゾーンの第２冷却器からの処理空気の一部を第１再生器に供給して、その下流の前記第１デシカントロータから排気する多段デシカントロータを配置したデシカント空気調和装置であって、温水による前記第２再生器の上流に外気を供給して混合することを特徴とする請求項１に記載の多段デシカントロータを用いた空気調和装置。
請求項４の発明は、主に実施例４に対応し、請求項３に記載の多段デシカントロータを用いた空気調和装置において、第２冷却器の上流に還気を供給して混合することを特徴とする。
【００１０】
請求項５の発明は、主に実施例５に対応し、請求項１に記載の多段デシカントロータを用いた空気調和装置であって、前記第１デシカントロータと前記第２デシカントロータとの中間に第３デシカントロータを配置し、該第３デシカントロータは、２０℃での相対湿度が５０％〜８０％では水の吸着量が０.４ｇ水／ｇ吸着剤〜０.８ｇ水／ｇ吸着剤であるポリアクリル酸ナトリューム架橋体の高分子吸収剤を吸着剤として用い、該第３デシカントロータの再生ラインの前段に温水による第３再生器を配置し、処理ゾーンの第２デシカントロータの処理空気の一部を第１再生器に供給し、前記第１デシカントロータから排気する多段デシカントロータを配置したデシカント空気調和装置であって、前記第３再生器の上流に外気を供給して混合することを特徴とする。
請求項６の発明は、主に実施例６に対応し、請求項５に記載の多段デシカントロータを用いた空気調和装置であって、第２冷却器の上流に還気を供給して混合することを特徴とする。
【発明の効果】
【００１１】
本発明の多段デシカントロータを用いた空気調和装置によれば、従来の低温再生型の多段デシカントロータを用いた空気調和装置に比べ、除湿能力が高まり超低露点にすることも可能となり、また、装置自体も小型にでき、かつ、高温再生型の多段デシカントロータを用いた空気調和装置に比べ、蒸気を使用する度合いを極力少なくすることができ、結果としてＣＯ2やＳＯｘを排出を低減することができる。
【図面の簡単な説明】
【００１２】
【図１】本発明の実施例１の多段デシカントロータを用いた空気調和装置の系統図、
【図２】デシカントロータに使用する吸着剤別による吸着量と相対湿度との関係を示すグラフ１の図、
【図３】デシカントロータに使用する吸着剤別の再生適正温度の関係を示すグラフ２の図、
【図４】本発明の実施例２の多段デシカントロータを用いた空気調和装置の系統図、
【図５】本発明の実施例３の多段デシカントロータを用いた空気調和装置の系統図、
【図６】実施例３に用いる第２第２デシカントロータ２−２の斜視図、
【図７】本発明の実施例４の多段デシカントロータを用いた空気調和装置の系統図、
【図８】本発明の実施例５の多段デシカントロータを用いた空気調和装置の系統図、
【図９】本発明の実施例６の多段デシカントロータを用いた空気調和装置の系統図である。
【発明を実施するための最良の形態】
【００１３】
本発明の好適な実施例１を図面に沿って説明する。
［実施例１］
図１は、実施例１の多段デシカントロータを用いたデシカント空気調和装置Ａの系統図であって、初段として上流に低温再生型１段（初段）のデシカントロータを配置し、最終段として下流に高温再生型１段のデシカントロータを配置したもので、概略、処理ラインＢと再生ラインＣとが仕切壁９によって仕切られ、処理ラインＢのゾーンと再生ラインＣのゾーンを貫通して直列に配置される第１デシカントロータ１、第２デシカントロータ２から構成される。
そして、第１デシカントロータ１で除湿する処理ラインＢの上流側には第１冷却器４１、及び、それに続いてファン７１が配置され、外気ＯＡをファン７１によって吸い込み、処理ラインＢの第１デシカントロータ１で減湿された空気は、次に、第２デシカントロータ２に給気され更に減湿されるが、この第２デシカントロータ２の前段にも一時的に相対湿度を上げるための第２冷却器４２が配置され、第２デシカントロータ２の下流には室内の温調用の冷温コイル５が配置され、冷温コイル５には、冷凍機４５の冷熱源から冷媒若しくは温水ＨＰ６５の温水が供給されている。この冷温コイル５から温調された空気である給気ＳＡとなって室内側に供給される。これらの第１冷却器４１、及び、第２冷却器４２、には冷凍機４５の冷熱源から冷媒が供給されている。
【００１４】
また、各デシカントロータを加熱する再生ラインＣの上流側には再生器が配置され、先ず、外気ＯＡ若しくは還気ＲＡが第２デシカントロータ２に供給されるが、この第２デシカントロータ２の前段には第１再生器６１、第１デシカントロータ１の上流で前段には第２再生器６２がそれぞれ配置され、この順に空気が供給され、第１デシカントロータ２の下流に配置されたファン７２によって戸外に排気ＥＡされる。また、前記第１再生器６１は更に前段に温水による温水再生器61−1と後段に蒸気による蒸気再生器61−2が直列に配置されている。
この第１再生器６１の温水再生器61−1と第２再生器６２には温水ヒートポンプ６５の熱源から温水が供給され、蒸気再生器61−2には蒸気ボイラ６６から１００℃以上の高温の蒸気が供給されており、１００℃以上の蒸気で加熱している。
【００１５】
このような構成において、第１デシカントロータ１は低温雰囲気下で高湿度において吸着量が多い吸着剤を用いており、この吸着剤としてポリアクリル酸ナトリューム架橋体の高分子吸収剤を用いている。
一方、第２デシカントロータ２は、低温雰囲気下で低湿度において吸着量の多い吸着剤を用いており、この吸着剤としてゼオライト或いはシリカゲルの無機材料を用いている。
次に、実施例１の作用を説明するが、その前提である第１デシカントロータ１の高分子吸収剤であるポリアクリル酸ナトリューム架橋体と、第２デシカントロータ２の無機材料であるゼオライト或いはシリカゲルの特性を、図２のグラフ１及び図３のグラフ２を用いて説明する。
先ず、２０℃での吸着量と相対湿度のグラフ１に示されるように、高分子吸収剤（実線）は、相対湿度％が湿度の増加とともに、ほぼ直線的に吸着量が増大し、相対湿度５０％では水の吸着量は約0．4ｇ水／g吸着剤にまでなり、相対湿度６０％では水の吸着量は約0．5ｇ水／g吸着剤、相対湿度８０％では水の吸着量は約0．8ｇ水／g吸着剤にまで達し、高湿度領域ではゼオライト或いはシリカゲルよりも大きな吸着率となる。
一方、ゼオライトは、グラフ１に示すように相対湿度７％以上では水の吸着量が0．2ｇ水／ｇ吸着剤程度で余り変化せず（２点鎖線）、相対湿度２５％以下ではで高分子吸収剤より吸着量（ｇ水／g吸着剤）が大きいことが判る。また、シリカゲルはその中間の特性（点線）を示している。
【００１６】
次に、上記の吸着剤に対する再生適正温度も異なり、グラフ２に示されるように、高分子吸着剤は約４０℃〜８０℃、シリカゲルは約８０℃〜１４０℃、吸収繊維は約１００℃〜１４０℃、活性炭は約１３０℃〜１８０℃、ゼオライトは約１４０℃〜１８０℃であり、通常、超低露点の空気を作り出すためにデシカントロータの再生器では１００℃以上に加熱するが、高分子吸着剤は吸着能力が十分あっても適さないことが判る。
【００１７】
このような特性であるので、デシカント空気調和装置Ａにデシカントロータとして使用した場合を、メリット及びデメリットを纏めると次のようになる。
（１）［高温再生型（ゼオライト等）デシカントロータ］
高温再生型デシカントロータは、吸着剤（除湿材）として高温再生用のゼオライトやシリカゲルなどを使用し、再生熱源は蒸気で通常100℃以上でも使用可能なロータであり、次のようなメリット及びデメリットがある。
（Ａ）メリット
（i）吸湿した、ろ材（除湿材）を乾燥させる再生空気温度を高く設定できるため、低温再生型に比べて再生能力が高い。この場合にはコンパクト設計ができる。
（Ｂ）デメリット
（i）高温で再生するため、再生側の熱が処理（除湿）側へ移行しやすく、この移行熱は、ろ材の吸着能力を低下させる。
（ii）移行熱を少なくするためには空気流路にパージサイクル等が必要となり、ロータカセットの構造が複雑になり、価格も高くなる。
（iii）蒸気を作るための化石燃料が必要となり、これを使用することによって、環境負荷となるＣＯ2やＳＯｘが発生する。
【００１８】
（２）［低温再生型（高分子吸着剤）デシカントロータ］
低温再生型デシカントロータは、吸着剤（除湿材）として高分子系収着材などを使用し、再生熱源はヒートポンプで生成可能な温水で約８０℃以下でも使用可能なロータであり、次のようなメリット及びデメリットがある。  
（Ａ）メリット
（i）低温の温水で再生するため、再生側から処理（除湿）側への熱の移行が少ない。
（ii）ロータカセットの構造が単純で、パージサイクル不要である。
（iii）電気式ヒートポンプで生成した温水で再生が可能であり、燃焼型の熱源が不要となり、直接的なＣＯ2やＳＯｘの発生がない。
（Ｂ）デメリット
（i）高温再生型に比べて寸法が大きくなる。
（ii）高温再生型に比べて、ロータ段数が多くなるが、段数が後ろになればなるほど除湿量が低下する。したがって、段数を増やしても、極端には除湿量が増加するものではない。
【００１９】
実施例１は以上の構成であるので、図１において、外気ＯＡは処理ラインＢの第１冷却器４１に冷却して相対湿度を高め、ファン７１によって低温再生型（高分子吸着剤）デシカントロータである第１デシカントロータ１に給気されるが、外気ＯＡは冷却除湿され、低温でもあるので、グラフ１に示すように高湿度領域で効率良く除湿される。最終段であるデシカントロータとして、２段目は、相対湿度が低い雰囲気であるので、高温再生型（ゼオライト等）デシカントロータである第２デシカントロータ２としている。これは、再生器を１００℃以上に蒸気で高温に加熱することが可能で、この場合にはグラフ１に示すように低湿度領域でも効率良く除湿される。
【００２０】
また、再生ラインＣには還気ＲＡ若しくは外気ＯＡを利用して、第２デシカントロータ２の第１再生器６１に供給されるが、第１再生器は前段に温水による温水再生器61−1と後段に蒸気による蒸気再生器61−2が直列に配置されているので、高効率で温水を生成できる温水ヒートポンプ６５で８０℃程度までの温水を作り、それ以上の温度帯が必要な場合は、電気ヒータもしくは、蒸気ボイラ６６等を使用する。
すなわち、夏期等の高負荷時には８０℃以上の電気ヒータもしくは、蒸気ボイラ６６を稼働させ、冬期等の低負荷時で必要除湿量が少ない場合には、まず、エネルギー効率の悪い電気ヒータ、もしくは蒸気を全閉して稼働させないように制御し、再生温度を下げ、その後、温水のみで再生可能になった場合は、再生風量を絞る省エネ制御に移行する。
【００２１】
したがって、上述した実施例１の多段デシカントロータを用いた空気調和装置は、従来の低温再生型の多段デシカントロータを用いた空気調和装置に比べ、除湿能力が高まり超低露点にすることも可能となり、また、装置自体も小型にでき、さらに、高温再生型の多段デシカントロータを用いた空気調和装置に比べ、蒸気を使用度合いを極力少なくすることができて、結果としてＣＯ2やＳＯｘを排出を低減することができ、簡単な構成で超低露点にすることができるのでランニングコストを大幅に削減する事が出来る。
【００２２】
［実施例２］ 
以下、実施例１の変形を実施例を説明するが、先ず、実施例２は、図４の系統図に示すように、上流に低温再生型２段のデシカントロータと下流に高温再生型1段のデシカントロータを配置した多段デシカントロータを用いたデシカント空気調和装置Ａであって、実施例１の低温再生型の第１デシカントロータ１と高温再生型の第２デシカントロータ２の中間に、低温再生型の第３デシカントロータ３を配置した３段のデシカントロータを用いている。
なお、第３デシカントロータ３の処理ラインＢでの上流側の前段には第３冷却器４３、再生ラインＣでの上流側の前段には第３再生器６３が配置されている。
この実施例２では、低温再生型のデシカントロータを２段にして除湿能力を更に高めたものであるが、第２段目の第３デシカントロータ３を低温再生型にして、蒸気を使用するデシカントロータは、最終段の第２デシカントロータ２だけとしただけであるので、実施例１と同様の作用・効果が得られるとともに、さらに除湿能力を向上し超低露点の実現が可能である。
【００２３】
［実施例３］
実施例３は、図５の系統図に示すように、実施例１と同様に、上流に低温再生型１段の第１デシカントロータ１と下流に高温再生型1段の第２デシカントロータ２−２を配置した多段デシカントロータを用いたデシカント空気調和装置Ａであって、実施例１と異なるのは、高温再生型1段の第２デシカントロータ２−２を、図６に示すように、再生過程と吸着過程の他にパージセクタを形成して、第２デシカントロータ２−２のパージセクタに処理ゾーンＢの処理空気の一部を分岐ダクト８１によって通過させ、この第２デシカントロータ２−２を通過し除湿した暖まった処理空気Ｂの一部をダクト８２によって第１再生器に導くもので、この際、再生ラインＣでの空気量が足らないために、第２再生機の上流に外気ＯＡをダンパ８３によって制御しながら補充するものである。
【００２４】
［実施例４］
実施例４は、図７の系統図に示すように、実施例３と同様に、上流に低温再生型１段の第１デシカントロータ１と下流に図６に示すような高温再生型1段の第２デシカントロータ２−２を配置した多段デシカントロータを用いたデシカント空気調和装置Ａであって、実施例３と異なるのは、処理ラインＢの第２冷却器４２の上流で第１デシカントロータ１の下流に第３ファン７３を配置し、この第３ファン７３の吸い込み口に室内側からの還気ＲＡを給気して、再び、処理ラインＢでのこの空気を第２デシカントロータ２−２から室内を循環させて、除湿を効率的に高めるもので、上述した各実施例の作用・効果に加えて、装置自体もより小型にでき、簡単な構成で更なる超低露点にすることができる。
【００２５】
［実施例５］
実施例５は、図８の系統図に示すように、上流に低温再生型２段のデシカントロータと下流に高温再生型1段のデシカントロータを配置した多段デシカントロータを用いたデシカント空気調和装置Ａであって、図４の実施例２と図５の実施例３を組み合わせたもので、低温再生型の第１デシカントロータ１と高温再生型の第２デシカントロータ２の中間に、低温再生型の第３デシカントロータ３を配置した３段のデシカントロータを用い、高温再生型1段の第２デシカントロータ２−２を、図６に示すように、再生過程と吸収過程の他にパージセクタを形成して、この第２デシカントロータ２−２のパージセクタに処理ゾーンＢの処理空気の一部を分岐通路８１によって通過させ、この第２デシカントロータ２−２を通過し除湿して暖まった処理空気Ｂの一部を第１再生器に導くもので、この際、再生ラインＣでの空気量が足らないために、第２再生器の上流に外気ＯＡをダンパ８３によって制御しながら補充するものである。
なお、上記第３デシカントロータ３は、低温雰囲気下で高湿度において吸着量が多い吸着剤を用い、第３デシカントロータの処理ラインＢの上流側の前段には第３冷却器４３、及び、再生ラインＣの上流側の前段には温水による第３再生器６３を配置され、処理ゾーンＢの第２デシカントロータ２−２からの処理空気の一部を第１再生器６１に供給している。
したがって、実施例５のデシカント空気調和装置Ａは実施例２と実施例３の利点を得るようにしたもので、多段のデシカントロータを用いているが、従来の低温再生型の多段デシカントロータを用いた空気調和装置に比べ、除湿能力が高まり超低露点にすることも可能となり、また、装置自体も小型にでき、簡単な構成で超低露点にすることができる。
【００２６】
［実施例６］
実施例６は、図９の系統図に示すように、上流に低温再生型２段のデシカントロータと下流に高温再生型1段のデシカントロータを配置した多段デシカントロータを用いたデシカント空気調和装置Ａであって、図８の前実施例５と異なるのは、処理ラインＢの第２冷却器４２の上流で第３デシカントロータ３の下流に第３ファン７３を配置し、この第３ファン７３の吸い込み口に室内側からの還気ＲＡを給気して、再び、処理ラインＢでのこの空気を第２デシカントロータ２−２から室内を循環させて、除湿を効率的に高めるもので、作用・効果は実施例５とほぼ同じであるが、実施例５に比べて、更に超低露点にすることができ、ランニングコストを大幅に削減する事が出来る。
【００２７】
以上詳述したように、上述した各実施例の多段デシカントロータを用いた空気調和装置は、従来の低温再生型の多段デシカントロータを用いた空気調和装置に比べ、除湿能力が高まり超低露点にすることも可能となり、また、装置自体も小型にでき、さらに、高温再生型の多段デシカントロータを用いた空気調和装置に比べ、蒸気を使用度合いを極力少なくすることができて、結果としてＣＯ2やＳＯｘを排出を低減することができ、簡単な構成で超低露点にすることができるのでランニングコストを大幅に削減する事が出来る。
なお、本発明の特徴を損なうものでなければ、上記の各実施例に限定されるものでないことは勿論である。
【符号の説明】
【００２８】
Ａ・・デシカント空気調和装置、
Ｂ・・処理ライン、Ｃ・・再生ライン、
１・・第１デシカントロータ、
２，２−２・・第２デシカントロータ、
３・・第３デシカントロータ、
41・・第１冷却器、42・・第２冷却器、43・・第３冷却器、45・・冷凍機、
５・・冷温コイル、
61・・第１再生器、61−1・・温水再生器、61−2・・蒸気再生器、62・・第２再生器、63・・第３再生器、
65・・温水ヒートポンプ、66・・蒸気ボイラ、
71・・第１ファン、72・・第２ファン、73・・第３ファン、
81・・分岐ダクト、82・・ダクト、83・・・ダンパ、
9・・仕切壁
【図１】
0005844611.tif 000002
【図２】
0005844611.tif 000003
【図３】
0005844611.tif 000004
【図４】
0005844611.tif 000005
【図５】
0005844611.tif 000006
【図６】
0005844611.tif 000007
【図７】
0005844611.tif 000008
【図８】
0005844611.tif 000009
【図９】
0005844611.tif 000010